(57)【要約】【課題】簡単な作業で血痕を採取することができるとともに、採取した血痕の保管も容易な血痕採取キットを提供する。【解決手段】テープ基材１１と、テープ基材１１に積層された改ざん防止層１２と、改ざん防止層１２に積層された粘着剤層１３と、粘着剤層１３の中央部に設けられた吸液部１４と、吸液部１４を被覆するようにして粘着剤層１３に積層された剥離材１５とからなる血痕採取テープ１と、その血痕採取テープ１を貼付する台紙２とにより血痕採取キットを構成する。【選択図】図３
2007139599.tif 000002
【特許請求の範囲】
【請求項１】
血液を吸収することのできる吸液部を備えた第１のシートと、
血液を吸収した前記吸液部を被覆することのできる第２のシートと
を備えており、
前記第１のシートまたは前記第２のシートには、前記第１のシートと前記第２のシートとを互いに接着することのできる粘着剤層が設けられている
ことを特徴とする血痕採取キット。
【請求項２】
前記第１のシートは、
基材と、
前記基材に積層された粘着剤層と、
前記粘着剤層の一部に積層された前記吸液部と、
前記吸液部を被覆するようにして前記粘着剤層に積層された剥離材と
を備えていることを特徴とする請求項１に記載の血痕採取キット。
【請求項３】
前記第１のシートと前記第２のシートとが接着された後においても、前記吸液部が吸収した水分を外部に蒸発させることのできる経路が形成されていることを特徴とする請求項１または２に記載の血痕採取キット。
【請求項４】
前記第１のシートと前記第２のシートとが接着された後においても、前記吸液部の側端部の一部が外部に開放され得るように、前記吸液部は前記粘着剤層の一部に積層されていることを特徴とする請求項２に記載の血痕採取キット。
【請求項５】
前記基材および前記粘着剤層は、透明な材料から形成されていることを特徴とする請求項２〜４のいずれかに記載の血痕採取キット。
【請求項６】
前記吸液部は、綿布からなることを特徴とする請求項１〜５のいずれかに記載の血痕採取キット。
【請求項７】
前記第２のシートは、所定の情報を記入することのできる台紙であることを特徴とする請求項１〜６のいずれかに記載の血痕採取キット。
【請求項８】
前記第２のシートにおいて前記吸液部に接触する接触部は、非吸水性になっていることを特徴とする請求項１〜７のいずれかに記載の血痕採取キット。
【請求項９】
前記第２のシートにおいて前記吸液部に接触する接触部は、除去可能な保護材によって保護されていることを特徴とする請求項１〜８のいずれかに記載の血痕採取キット。
【請求項１０】
前記第１のシートおよび前記第２のシートのいずれか一方または両方は、互いに接着した前記第１のシートと前記第２のシートとを剥離したときに、剥離したことが明らかになる改ざん防止機能を有することを特徴とする請求項１〜９のいずれかに記載の血痕採取キット。
【請求項１１】
前記粘着剤層と、前記第１のシートの基材または前記第２のシートの基材との間には、層内剥離性を有する層が設けられていることを特徴とする請求項１０に記載の血痕採取キット。
【請求項１２】
前記吸液部は、血痕を溶解させることのできる液体を含有しており、かつ、前記液体が蒸発しないようにカバーされていることを特徴とする請求項１〜１１のいずれかに記載の血痕採取キット。
【請求項１３】
前記第１のシートは、水蒸気透過性の低い包材により包装されていることを特徴とする請求項１２に記載の血痕採取キット。
【発明の詳細な説明】
【技術分野】
【０００１】
本発明は、犯罪現場等に残された血痕の採取および保管が可能な血痕採取キットに関するものである。
【背景技術】
【０００２】
従来より、犯罪現場等に残された血痕を採取・保管する場合には、乾燥している血痕に精製水を加えて血痕を溶解させ、得られた血液をガーゼ等に吸液させ、それをラベル付きのサンプルビン、さらにはビニール袋に入れて保管することが行われている。
【０００３】
採取した血痕は、ＤＮＡ鑑定等の分析に付されるが、正確な分析を行うためにも、血痕採取時に手袋やピンセットが必要なため作業が煩雑であり、また、血液を吸収したガーゼ等は保管し難いという問題もあった。
【０００４】
血痕採取方法として、重合硬化可能な２種類の組成物を使用して、血痕を重合硬化物に接着、移行させる方法が提案されている（特許文献１）。
【特許文献１】特公平６−９５０９３号公報
【発明の開示】
【発明が解決しようとする課題】
【０００５】
しかしながら、上記のような血痕採取方法によっても、血痕採取作業の煩雑さは改善されておらず、また、血痕が移行した重合硬化物の保管も容易ではない。
【０００６】
本発明は、このような実状に鑑みてなされたものであり、簡単な作業で血痕を採取することができるとともに、採取した血痕の保管も容易な血痕採取キットを提供することを目的とする。
【課題を解決するための手段】
【０００７】
上記目的を達成するために、第１に本発明は、血液を吸収することのできる吸液部を備えた第１のシートと、血液を吸収した前記吸液部を被覆することのできる第２のシートとを備えており、前記第１のシートまたは前記第２のシートには、前記第１のシートと前記第２のシートとを互いに接着することのできる粘着剤層が設けられていることを特徴とする血痕採取キットを提供する（請求項１）。なお、本明細書において「シート」には、テープの概念も含まれるものとする。
【０００８】
上記発明（請求項１）においては、第１のシートの吸液部に血痕の血液を吸収させた後、その吸液部を被覆するようにして第１のシートと第２のシートとを互いに接着することができるため、手袋やピンセット等を必要とすることなく、簡単な作業で血痕を採取することができ、採取した血液の保管も容易である。特に、第１のシートと第２のシートとの接着体もシート状であるため、保管スペースを多く必要としない。
【０００９】
上記発明（請求項１）において、前記第１のシートは、基材と、前記基材に積層された粘着剤層と、前記粘着剤層の一部に積層された前記吸液部と、前記吸液部を被覆するようにして前記粘着剤層に積層された剥離材とを備えていることが好ましい（請求項２）。かかる第１のシートは、製造および取扱いが容易である。
【００１０】
上記発明（請求項１，２）に係る血痕採取キットには、前記第１のシートと前記第２のシートとが接着された後においても、前記吸液部が吸収した水分を外部に蒸発させることのできる経路が形成されていることが好ましい（請求項３）。
【００１１】
また、上記発明（請求項２）においては、前記第１のシートと前記第２のシートとが接着された後においても、前記吸液部の側端部の一部が外部に開放され得るように、前記吸液部は前記粘着剤層の一部に積層されていることが好ましい（請求項４）。
【００１２】
上記発明（請求項３，４）によれば、吸液部から水分が蒸発し易く、分析時までに吸液部に雑菌等が繁殖することを抑制することができる。
【００１３】
上記発明（請求項２〜４）において、前記基材および前記粘着剤層は、透明な材料から形成されていることが好ましい（請求項５）。かかる構成によれば、血痕採取時に、吸液部における血液の吸収状況を確認し易い。
【００１４】
上記発明（請求項１〜５）において、前記吸液部は、綿布からなることが好ましい（請求項６）。
【００１５】
上記発明（請求項１〜６）において、前記第２のシートは、所定の情報を記入することのできる台紙であることが好ましい（請求項７）。かかる台紙は、採取した血痕を鑑定する際に、その血痕の情報を特定するのに非常に有用であり、また情報の記入もし易い。
【００１６】
上記発明（請求項１〜７）において、前記第２のシートにおいて前記吸液部に接触する接触部は、非吸水性になっていることが好ましい（請求項８）。かかる構成によれば、吸液部が吸収した血液が第２のシートの基材等に移行することを防止することができる。
【００１７】
上記発明（請求項１〜８）において、前記第２のシートにおいて前記吸液部に接触する接触部は、除去可能な保護材によって保護されていることが好ましい（請求項９）。かかる構成によれば、吸液部が接触する接触部に指の皮脂等が付着することを防止して、血液の分析を正確に行うことができる。
【００１８】
上記発明（請求項１〜９）において、前記第１のシートおよび前記第２のシートのいずれか一方または両方は、互いに接着した前記第１のシートと前記第２のシートとを剥離したときに、剥離したことが明らかになる改ざん防止機能を有することが好ましい（請求項１０）。かかる発明によれば、吸液部が吸収した血液が他の血液に替えられる等の改ざんを防止することができる。
【００１９】
上記発明（請求項１０）において、前記粘着剤層と、前記第１のシートの基材または前記第２のシートの基材との間には、層内剥離性を有する層が設けられていることが好ましい（請求項１１）。
【００２０】
上記発明（請求項１〜１１）において、前記吸液部は、血痕を溶解させることのできる液体を含有しており、かつ、前記液体が蒸発しないようにカバーされていてもよい（請求項１２）。かかる発明によれば、血痕に精製水を加えなくても、簡単に血痕を採取することができる。
【００２１】
上記発明（請求項１２）において、前記第１のシートは、水蒸気透過性の低い包材により包装されていてもよい（請求項１３）。
【発明の効果】
【００２２】
本発明の血痕採取キットによれば、手袋やピンセット等を必要とすることなく、簡単な作業で血痕を採取することができるとともに、採取した血痕の保管も容易である。
【発明を実施するための最良の形態】
【００２３】
以下、本発明の実施形態について説明する。
〔第１の実施形態〕
図１は、本発明の第１の実施形態に係る血痕採取キットにおける第１のシート（血痕採取テープ）の平面図（ａ）および側面図（ｂ）であり、図２は、本発明の第１の実施形態に係る血痕採取キットにおける第２のシート（台紙）の平面図（ａ）およびそのＡ−Ａ断面図（ｂ）であり、図３は、同実施形態に係る血痕採取キットにおいて血痕採取テープを台紙に貼付した状態を示す平面図である。
【００２４】
本実施形態に係る血痕採取キットは、図１に示す血痕採取テープ（本発明の第１のシートに対応）１と、図２に示す台紙（本発明の第２のシートに対応）２とから構成される。
【００２５】
図１（ａ），（ｂ）に示すように、血痕採取テープ１は、テープ基材１１と、テープ基材１１に積層された改ざん防止層１２と、改ざん防止層１２に積層された粘着剤層１３と、粘着剤層１３の中央部に設けられた吸液部１４と、吸液部１４を被覆するようにして粘着剤層１３に積層された剥離材１５とから構成される。
【００２６】
テープ基材１１は、他の層を支持できるものであればよいが、血痕採取時における取扱い性の観点から、ある程度剛性を有するものであることが好ましい。また、血痕の採取状態を確認し易くするために、テープ基材１１は透明であることが好ましい。
【００２７】
かかるテープ基材１１の材料としては、例えば、ポリエチレン、ポリプロピレン等のポリオレフィン、ポリエチレンテレフタレート、ポリブチレンテレフタレート等のポリエステル、ポリ塩化ビニル、ポリスチレン、ポリウレタン、ポリカーボネート、ポリメタクリル酸メチル、エチレン酢酸ビニル共重合体、エチレン（メタ）アクリル酸共重合体、エチレン（メタ）アクリル酸エステル共重合体、アイオノマー樹脂などの樹脂からなるフィルム、またはそれらの積層フィルム等を使用することができ、それらの中でも特にポリエチレンテレフタレートが好ましい。
【００２８】
テープ基材１１の厚さは、材料の種類にもよるが、１０〜２００μｍであるのが好ましく、特に２０〜１００μｍであるのが好ましい。
【００２９】
改ざん防止層１２は、台紙２に貼り付けた血痕採取テープ１を台紙２から剥離したときに、剥離したことが明らかになる改ざん防止機能を有するものであればよい。
【００３０】
層内剥離性を有する改ざん防止層１２は、台紙２に貼り付けた血痕採取テープ１を台紙２から剥離したときに、粘着剤層１３を台紙２に残したまま、改ざん防止層１２の厚み方向の途中で剥離し、再度の貼付をできなくするものである。このとき、所定の文字や記号が現れるようにしてもよい。
【００３１】
この改ざん防止層１２も、血痕採取時における血痕の採取状態を確認し易くするために、透明であることが好ましい。
【００３２】
かかる層内剥離性を有する改ざん防止層１２としては、例えば、特公平５−８７８３７に開示されているものを採用することができる。具体的には、樹脂バインダーを主材とし、これに粉末フィラーを混在させたものを使用することができる。樹脂バインダーとしては、例えば、ポリエステル樹脂、変性ナイロン樹脂、塩素化エチレンビニルアルコール、塩素化ポリプロピレン、塩素化ポリエチレン、エチレンビニルアルコール、酢酸ビニル、アクリル樹脂、セルロース樹脂、エポキシ樹脂、ウレタン樹脂、塩化ビニル樹脂、塩化ビニル−酢酸ビニル共重合体等の合成樹脂バインダーを使用することができる。粉末フィラーとしては、平均粒径が０．５〜５μｍ程度の無定形シリカ、ガラスビーズ等を使用することができる。配合比としては、樹脂バインダー１００質量部に対して、粉末フィラー１０〜１５０質量部、特に２０〜１００質量部であることが好ましい。
【００３３】
改ざん防止層１２の厚さは、通常、１〜１０μｍであるのが好ましく、特に１〜５μｍであるのが好ましい。
【００３４】
粘着剤層１３は、血痕採取テープ１を台紙２に確実に貼付することができるものであれば、特に限定されないが、血痕採取時における血痕の採取状態を確認し易くするために、透明であることが好ましい。
【００３５】
粘着剤層１３を構成する粘着剤としては、例えば、アクリル系、ポリエステル系、ウレタン系、ゴム系、シリコーン系、エチレン−酢酸ビニル系等の粘着剤が挙げられるが、中でも残留モノマーが少なく、採取した血液へのコンタミネーションのおそれの少ないアクリル系またはシリコーン系の粘着剤が好ましい。
【００３６】
粘着剤層１３の厚さは、通常、１０〜５０μｍであるのが好ましく、特に２０〜４０μｍであるのが好ましい。
【００３７】
吸液部１４は、血痕を精製水等に溶解させて得られた血液を吸収する部分であり、血液吸収性を有する材料からなる。吸液部１４の大きさは、分析に必要な血液量を確保するために、１〜１０ｃｍ２程度であることが好ましい。
【００３８】
吸液部１４の材料は、吸収した血液の分析の観点から、繊維集合体であるのが好ましい。繊維集合体は、編織物であってもよいし、不織布であってもよい。繊維集合体を構成する繊維の種類としては、吸液性に優れるとともに、ＤＮＡ鑑定等の分析に悪影響を及ぼし難い木綿が好ましい。すなわち、吸液部１４は綿布からなるのが好ましい。
【００３９】
綿布の目付量は、２０〜２００ｇ／ｍ２であるのが好ましく、特に４０〜１００ｇ／ｍ２であるのが好ましい。
【００４０】
本実施形態では、吸液部１４は平面視矩形になっており、相対向する２辺（図１（ａ）中、上下の２辺）の位置は、テープ基材１１、改ざん防止層１２および粘着剤層１３の長手方向の２辺の位置に一致させられている。すなわち、吸液部１４の相対向する２つの端面（図１（ａ）中、上下の端面）は、血痕採取テープ１が台紙２に貼付された後においても、外部に開放された状態となる。これにより、吸液部１４から水分が蒸発し易くなる。
【００４１】
本実施形態における剥離材１５は、２枚の剥離シート１５１，１５２からなり、第１の剥離シート１５１は、粘着剤層１３の一方の端部から吸液部１４の中央部まで至るように設けられており、第２の剥離シート１５２は、粘着剤層１３の他方の端部から吸液部１４の中央部まで至り、一部第１の剥離シート１５１の上に重なるようにして設けられている。
【００４２】
剥離材１５をこのような２枚構成にすることにより、血痕採取テープ１により血痕を採取する際に、２枚の剥離シート１５１，１５を粘着剤層１３に付けたまま、互いに開くようにして吸液部１４を露出させることができるため、取扱い性に優れ、指等が吸液部１４に触れるおそれが低いものとなる。ただし、剥離材１５の構成はこれに限定されるものではなく、１枚の剥離シートが粘着剤層１３および吸液部１４の全体に設けられる構成であってもよい。
【００４３】
剥離材１５の材料としては、特に限定されるものではなく、例えば、ポリエチレンテレフタレート、ポリプロピレン、ポリエチレン等の樹脂からなるフィルムまたはそれらの発泡フィルムや、グラシン紙、コート紙、ラミネート紙等の紙に、シリコーン系、フッ素系、長鎖アルキル基含有カルバメート等の剥離剤で剥離処理したものを使用することができる。
【００４４】
剥離材１５の厚さは、通常１０〜２５０μｍ程度であり、好ましくは２０〜２００μｍ程度である。
【００４５】
一方、台紙２は、血痕を採取した血痕採取テープ１を貼り付ける対象となるものであり、図２に示すように、台紙２の基材２１は、血痕採取テープ貼付部２０ａと、所定の情報を記入することのできる情報記入部２０ｂとを備えている。図２に示すように、本実施形態における所定の情報の項目としては、事件名、採取年月日、採取場所、採取者、立会人およびＮｏ.（整理番号）が例示されているが、これらに限定されるものではない。
【００４６】
台紙２の大きさは、血痕の鑑定前に行う写真撮影を考慮して、縦１０〜３０ｃｍ、横１０〜３０ｃｍ程度であることが好ましい。
【００４７】
基材２１の材料としては、通常の筆記具によって文字を記入することのできる通常の紙であれば、特に限定されることはない。
【００４８】
基材２１の血痕採取テープ貼付部２０ａにおける中央部は、血痕採取テープ１の吸液部１４が接触する接触部２２となっており、吸液部１４よりも大きい矩形状となっている。この接触部２２は、吸液部１４が吸収した血液が台紙２の基材２１に移行しないように、非吸水性になっていることが好ましい。
【００４９】
かかる非吸水性の接触部２２は、例えば、アクリル樹脂、ウレタン樹脂等のメジウムを印刷すること、あるいはポリエチレンテレフタレート、ポリプロピレン、ポリエチレン等の樹脂からなるフィルムを、粘着剤を介して貼付することによって形成することができる。ただし、分析を正確に行うために、吸液部１４が接触する接触部２２には指の皮脂等を付着させないことが好ましく、そのためには印刷によって接触部２２を形成することが好ましい。
【００５０】
上記と同様の理由により接触部２２の汚染を防止するために、本実施形態では、接触部２２は保護材２３によってカバーされている。保護材２３は、接触部２２を汚染することなく、接触部２２に剥離可能に密着し得るものであれば特に限定されることはない。そのような保護材２３としては、例えば、自己接着性を有する樹脂フィルム、具体的には、ポリエチレン、ポリプロピレン、ポリウレタン等の樹脂フィルムの他、微粘着力を有する再剥離性粘着シートなどを使用することができる。
【００５１】
以上説明した血痕採取キットを使用して血痕を採取するには、あらかじめ台紙２における保護材２３を接触部２２から剥がしておき、乾燥している血痕に精製水を加えて血痕を溶解させ、液体状の血液とした後、血痕採取テープ１の２枚の剥離シート１５１，１５２を粘着剤層１３に付けたまま、互いに開くようにして吸液部１４を露出させ、露出した吸液部１４を血液に接触させてその吸液部１４に血液を吸収させる。このとき、血痕採取テープ１のテープ基材１１、改ざん防止層１２および粘着剤層１３が透明であると、吸液部１４の血液の吸収状況を確認し易い。
【００５２】
そして、吸液部１４を台紙２の接触部２２に接触させながら、２枚の剥離シート１５１，１５２を互いに引き離すようにして粘着剤層１３から剥離して粘着剤層１３を露出させ、露出した粘着剤層１３を接触部２２の両脇部分に圧着する（図３参照）。
【００５３】
このようにして血痕採取テープ１を台紙２の血痕採取テープ貼付部２０ａに貼付したら、情報記入部２０ｂに所定の情報を記入する。以上の通り、本実施形態に係る血痕採取キットによれば、手袋やピンセット等を必要とすることなく、簡単な作業で血痕を採取することができる。また、血痕採取後の血痕採取キットはシート状であるため、保管スペースを多く必要とせず、整理も極めて容易である。
【００５４】
血液の分析は、写真撮影を行った後、血痕採取テープ１を台紙２から剥離して、吸液部１４を所定の処理に付すことにより行うが、血痕採取テープ１は、改ざん防止層１２を有するため、血痕採取テープ１が台紙２に貼付されている限り、血痕採取テープ１はまだ台紙２から剥離されておらず、したがって血液すり替え等の改ざんはされていないと判断することができる。
【００５５】
また、血痕採取テープ１の吸液部１４は、血痕採取テープ１が台紙２に貼付された後においても、外部に開放された状態となり、吸液部１４から水分が蒸発し易いため、分析時までに吸液部１４に雑菌等が繁殖することを抑制することができる。
【００５６】
〔第２の実施形態〕
図４は、本発明の第２の実施形態に係る血痕採取キットにおける第１のシート（血痕採取テープ）の平面図（ａ）および側面図（ｂ）であり、図５は、本発明の第２の実施形態に係る血痕採取キットにおける第２のシート（台紙）の平面図（ａ）およびそのＢ−Ｂ断面図（ｂ）であり、図６は、同実施形態に係る血痕採取キットにおいて血痕採取テープを台紙に貼付した状態を示す平面図である。
【００５７】
本実施形態に係る血痕採取キットは、図４に示す血痕採取テープ（本発明の第１のシートに対応）３と、図５に示す台紙（本発明の第２のシートに対応）４とから構成される。
【００５８】
図４（ａ），（ｂ）に示すように、血痕採取テープ３は、テープ基材３１と、テープ基材３１の中央部に粘着剤層３２を介して設けられた吸液部３３とから構成され、包装体３４により包装されている。
【００５９】
テープ基材３１、粘着剤層３２および吸液部３３の材料は、第１の実施形態に係る血痕採取テープ１のテープ基材１１、粘着剤層１３および吸液部１４の材料と同様のものを使用することができる。
【００６０】
本実施形態では、吸液部３３は精製水を含有している。吸液部３３の精製水の含有量は、吸液部３３を血痕に接触させた際に、軽い押圧で若干染み出る程度の量であることが好ましい。吸液部３３が精製水を含有していることにより、血痕採取時に、血痕に精製水を別途加える必要がなく、吸液部３３をそのまま血痕に接触させることにより、血痕を精製水に溶解させて血液とし、その血液を吸液部３３に吸収させることができる。
【００６１】
吸液部３３が含有している精製水が吸液部３３から蒸発しないように、血痕採取テープ３は包装体３４により密封包装されている。包装体３４は水蒸気透過性の低い包材からなることが好ましく、具体的には、透湿度が１０ｇ／ｍ２・２４ｈ以下、特に１ｇ／ｍ２・２４ｈ以下である包材からなることが好ましい。かかる包材としては、例えば、ポリエステルフィルムとアルミホイルとを積層し、アルミホイル側にヒートシール性の樹脂層を設けたものなどを使用することができる。また、ポリエステルフィルムにアルミホイルを積層する代わりに、ポリエステルフィルムに金属蒸着したものを使用することもできる。
【００６２】
本実施形態における包装体３４は、２枚の平面視長方形状のシート状包材の周縁部を互いに接着してなるものであり、それによって血痕採取テープ３を密封包装している。
【００６３】
一方、図５に示すように、台紙４は、基材４１に血痕採取テープ貼付部４０ａと、情報記入部４０ｂとを備えている。血痕採取テープ貼付部４０ａの中央部は、血痕採取テープ３の吸液部３３が接触する接触部４２となっており、その接触部４２の両脇には、平面視矩形状の改ざん防止層４３と粘着剤層４４とが下からその順に積層されている。そして、２つの粘着剤層４４には、それらの間に位置する接触部４２をカバーするように、剥離材４５が積層されている。すなわち、本実施形態では、接触部４２は剥離材４５によって汚染が防止されている。
【００６４】
台紙４の基材４１、接触部４２、改ざん防止層４３、粘着剤層４４および剥離材４５の材料は、第１の実施形態に係る台紙２の基材２１および接触部２２、ならびに血痕採取テープ１の改ざん防止層１２、粘着剤層１３および剥離材１５と同様のものを使用することができる。
【００６５】
以上説明した血痕採取キットを使用して血痕を採取するには、あらかじめ台紙４における剥離材４５を粘着剤層４４から剥がしておき、血痕採取テープ３を包装体３４から取り出して、吸液部３３を血痕に接触させ、吸液部３３が含有している精製液に血痕を溶解させて血液とし、その血液を吸液部３３に吸収させる。このとき、血痕採取テープ３のテープ基材３１が透明であると、吸液部３３の血液の吸収状況を確認し易い。
【００６６】
そして、図６に示すように、吸液部３３を台紙４の接触部４２に接触させ、血痕採取テープ３のテープ基材３１を、接触部４２の両脇部分の粘着剤層４４に圧着する。このようにして血痕採取テープ３を台紙４の血痕採取テープ貼付部４０ａに貼付したら、情報記入部４０ｂに所定の情報を記入する。
【００６７】
以上の通り、本実施形態に係る血痕採取キットによれば、手袋やピンセット等を必要とすることなく簡単な作業で、さらに血痕に精製水を加える必要なくして、血痕を採取することができる。また、血痕採取後の血痕採取キットはシート状であるため、保管スペースを多く必要とせず、整理も極めて容易である。
【００６８】
血液の分析は、写真撮影を行った後、血痕採取テープ３を台紙４から剥離して、吸液部３３を所定の処理に付すことにより行うが、台紙４は、改ざん防止層４３を有するため、血痕採取テープ３が台紙４に貼付されている限り、血痕採取テープ３はまだ台紙４から剥離されておらず、したがって血液すり替え等の改ざんはされていないと判断することができる。
【００６９】
また、血痕採取テープ３の吸液部３３は、血痕採取テープ３が台紙４に貼付された後においても、外部に開放された状態となり、吸液部３３から水分が蒸発し易いため、分析時までに吸液部３３に雑菌等が繁殖することを抑制することができる。
【００７０】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００７１】
例えば、台紙２における保護材２３は省略され、台紙２全体が包装体によって包装されていてもよい。
【産業上の利用可能性】
【００７２】
本発明に係る血痕採取キットは、犯罪現場等に残された血痕の採取および保管に有用である。
【図面の簡単な説明】
【００７３】
【図１】本発明の第１の実施形態に係る血痕採取キットにおける第１のシート（血痕採取テープ）の平面図（ａ）および側面図（ｂ）である。
【図２】本発明の第１の実施形態に係る血痕採取キットにおける第２のシート（台紙）の平面図（ａ）およびそのＡ−Ａ断面図（ｂ）である。
【図３】同実施形態に係る血痕採取キットにおいて血痕採取テープを台紙に貼付した状態を示す平面図である。
【図４】本発明の第２の実施形態に係る血痕採取キットにおける第１のシート（血痕採取テープ）の平面図（ａ）および側面図（ｂ）である。
【図５】本発明の第２の実施形態に係る血痕採取キットにおける第２のシート（台紙）の平面図（ａ）およびそのＢ−Ｂ断面図（ｂ）である。
【図６】同実施形態に係る血痕採取キットにおいて血痕採取テープを台紙に貼付した状態を示す平面図である。
【符号の説明】
【００７４】
１，３…血痕採取テープ（第１のシート）
１１，３１…テープ基材
１２，４３…改ざん防止層
１３，３２，４４…粘着剤層
１４，３３…吸液部
１５，４５…剥離材
３４…包装体
２，４…台紙（第２のシート）
２１，４１…基材
２０ａ，４０ａ…血痕採取テープ貼付部
２０ｂ，４０ｂ…情報記入部
２２，４２…接触部 
２３…保護材
【図１】
2007139599.tif 000003
【図２】
2007139599.tif 000004
【図３】
2007139599.tif 000005
【図４】
2007139599.tif 000006
【図５】
2007139599.tif 000007
【図６】
2007139599.tif 000008